(57)【要約】【課題】軸冷水冷却器を開放しなくても清掃が行える軸冷水冷却システムを提供する。【解決手段】軸冷水冷却器１０を用いて軸受冷却水を海水で冷却する軸冷水冷却システムであって、軸冷水海水逆洗弁２１が取り付けられたかつ軸冷水海水逆洗弁２１を開くことにより軸冷水冷却器１０の出口水室１２の底面から出口水室１２内に海水を流入するための海水逆洗管４１と、軸冷水冷却器出口水室エアー弁３１および軸冷水冷却器中間水室エアー弁３２が取り付けられたかつ軸冷水冷却器出口水室エアー弁３１を開くことにより軸冷水冷却器１０の出口水室１２の底面から出口水室１２内に空気を送入するとともに軸冷水冷却器中間水室エアー弁３２を開くことにより軸冷水冷却器１０の中間水室１３の底面から中間水室１３内に空気を送入するための空気送入管４２とを具備する。【選択図】図１
2009293843.tif 000002
【特許請求の範囲】
【請求項１】
一方の端部に設けられた入口水室（１１）および出口水室（１２）と他方の端部に設けられた中間水室（１３）と該入口水室および該中間水室を連通する複数の第１の冷却管（１４1）と該出口水室および該中間水室を連通する複数の第２の冷却管（１４2）とを備える軸冷水冷却器（１０）を用いて軸受冷却水を海水で冷却する軸冷水冷却システムであって、
軸冷水海水逆洗弁（２１）が取り付けられた、かつ、該軸冷水海水逆洗弁を開くことにより前記出口水室の底面から該出口水室内に海水を流入するための海水逆洗管（４１）と、
軸冷水冷却器出口水室エアー弁（３１）および軸冷水冷却器中間水室エアー弁（３２）が取り付けられた、かつ、該軸冷水冷却器出口水室エアー弁を開くことにより前記出口水室の底面から該出口水室内に空気を送入するとともに該軸冷水冷却器中間水室エアー弁を開くことにより前記中間水室の底面から該中間水室内に空気を送入するための空気送入管（４２）と、
を具備することを特徴とする、軸冷水冷却システム。
【請求項２】
前記海水逆洗管が、前記入口水室に海水を流入するための海水流入管（１７１）と前記出口水室から海水を流出するための海水流出管（１７２）との間に配設されていることを特徴とする、請求項１記載の軸冷水冷却システム。
【請求項３】
前記中間水室を洗浄するときには、前記海水流出管に取り付けられた軸冷水海水出口弁（１３２）を閉止し、前記軸冷水冷却器中間水室エアー弁を開き、該中間水室の底面に接続された中間水室ブロー管（１７６）に取り付けられた軸冷水冷却器中間水室ブロー弁（１５２）を開いて、海水が前記入口水室、前記複数の第１の冷却管および該中間水室を経て該中間水室ブロー管に流れる水路が形成され、
その後に前記出口水室を洗浄するときには、前記軸冷水冷却器中間水室エアー弁および前記軸冷水冷却器中間水室ブロー弁を閉止したのち、前記軸冷水冷却器出口水室エアー弁を開き、該出口水室の底面に接続された出口水室ブロー管（１７５）に取り付けられた軸冷水冷却器出口水室ブロー弁（１５１）を開いて、海水が前記入口水室、前記複数の第１の冷却管、前記中間水室、前記複数の第２の冷却管および該出口水室を経て該出口水室ブロー管に流れる水路が形成され、
その後に前記出口水室、前記複数の第２の冷却管および前記中間水室の洗浄をするときには、前記軸冷水冷却器出口水室エアー弁および前記軸冷水冷却器出口水室ブロー弁を閉止したのち、前記海水流入管に取り付けられた軸冷水海水入口弁（１３１）を閉止し、前記軸冷水海水逆洗弁および前記軸冷水冷却器中間水室ブロー弁を開いて、海水が前記海水逆洗管、前記海水流出管、該出口水室、該複数の第２の冷却管および該中間水室を経て前記中間水室ブロー管に流れる水路が形成され、
その後に前記出口水室、前記複数の第２の冷却管、前記中間水室、前記複数の第１の冷却管および前記入口水室を洗浄するときには、前記軸冷水冷却器中間水室ブロー弁を閉止したのち、該入口水室の上面に接続された空気排出管（１７７）に取り付けられた軸冷水冷却器入口水室空気抜弁（１６１）を開いて、海水が前記海水逆洗管、前記海水流出管、該出口水室、該複数の第２の冷却管、該中間水室、該複数の第１の冷却管および該入口水室を経て該空気排出管に流れる水路が形成される、
ことを特徴とする、請求項２記載の軸冷水冷却システム。
【請求項４】
前記軸冷水海水逆洗弁、前記軸冷水冷却器出口水室エアー弁、前記軸冷水冷却器中間水室エアー弁、前記軸冷水海水入口弁、前記軸冷水海水出口弁、前記軸冷水冷却器出口水室ブロー弁、前記軸冷水冷却器中間水室ブロー弁および前記軸冷水冷却器入口水室空気抜弁の開閉制御を行うための弁制御装置（５０）をさらに具備することを特徴とする、請求項３記載の軸冷水冷却システム。
【発明の詳細な説明】
【技術分野】
【０００１】
本発明は、軸冷水冷却システムに関し、特に、火力発電所で使用されている補機の軸受冷却水などを海水で冷却するための軸冷水冷却器内に溜まった貝殻などを清掃するのに好適な軸冷水冷却システムに関する。
【背景技術】
【０００２】
火力発電所では、軸冷水冷却器を用いて補機の軸受冷却水を海水で冷却するために、たとえば図８に示すような海水系統（循環水ポンプ（ＣＷＰ）１２１→海水ブースターポンプ（海水ＢＰ）１２２→トスフィルタ１２３→軸冷水冷却器１１０→循環水ポンプ配水管）の軸冷水冷却システムが設置されている。
【０００３】
ここで、軸冷水冷却器１１０は、図示左側の端部に設けられた入口水室１１１および出口水室１１２と、図示右側の端部に設けられた中間水室１１３と、入口水室１１１および中間水室１１３を連通する複数の第１の冷却管１１４1と、出口水室１１２および中間水室１１３を連通する複数の第２の冷却管１１４2とを備える。
【０００４】
軸冷水冷却器１１０の入口水室１１１の上面には、軸冷水海水入口弁１３１が取り付けられた海水流入管１７１がトスフィルタ１２３との間に配設されているとともに、軸冷水冷却器入口水室空気抜弁１６１が取り付けられた空気排出管１７７が接続されている。
軸冷水冷却器１１０の出口水室１１２の底面には、軸冷水海水出口弁１３２が取り付けられた海水流出管１７２が接続されているとともに、軸冷水冷却器出口水室ブロー弁１５１が取り付けられた出口水室ブロー管１７５が接続されている。
軸冷水冷却器１１０の中間水室１１３の上面には、軸冷水冷却器中間水室空気抜弁１６２が取り付けられた空気排出管１７７が接続されており、また、中間水室１１３の底面には、軸冷水冷却器中間水室ブロー弁１５２が取り付けられた中間水室ブロー管１７６が接続されている。
軸冷水冷却器１１０の複数の第１および第２の冷却管１１４1，１１４2が設けられた冷却室の上面には、軸冷水入口弁１４１が取り付けられた軸受冷却水流入管１７３が接続されており、また、冷却室の底面には、軸冷水出口弁１４２が取り付けられた軸受冷却水流出管１７４が接続されている。
【０００５】
このように構成された軸冷水冷却システムをおける軸受冷却水の冷却は、以下のようにして行われる。
なお、図８と後述する図１および図３乃至図６では、開かれている弁は白抜きで、閉止されている弁は黒塗りで示している。
【０００６】
軸冷水入口弁１４１および軸冷水出口弁１４２を開いて、同図に破線の矢印で示すように、軸受冷却水を軸冷水冷却器１１０の冷却室内に軸受冷却水流入管１７３を通して流入し冷却室内を通過させたのちに軸受冷却水流出管１７４を通して流出させる。
また、軸冷水海水入口弁１３１および軸冷水海水出口弁１３２を開いて、同図に実線の矢印で示すように、循環水ポンプ１２１から海水ブースターポンプ１２２およびトスフィルタ１２３を介して海水流入管１７１内を流し込まれた海水を軸冷水冷却器１１０の入口水室１１１内に流入する。
入口水室１１１内に流入された海水は、軸冷水冷却器１１０内を複数の第１の冷却管１１４1、中間水室１１３、複数の第２の冷却管１１４2および出口水室１１２の順に流れたのちに、海水流出管１７２を通って循環水ポンプ配水管に流出される。
これにより、軸冷水冷却器１１０の複数の第１および第２の冷却管１１４1，１１４2が海水で冷やされて、軸冷水冷却器１１０の冷却室を通過する軸受冷却水が複数の第１および第２の冷却管１１４1，１１４2で冷却される。
【０００７】
なお、下記の特許文献１には、簡素な配管ルートで熱交換器を分解せず予備熱交換器を清掃できるようにするために、熱交換器出口弁および熱交換器逆洗用ブロー弁を全開にすると、系統水の流れの少なくとも一部が逆流して熱交換器出口弁を通って待機中の熱交換器の出口側から流入して熱交換器を逆洗清掃し、その後、系統水が熱交換器逆洗用ブロー弁および熱交換器逆洗用ブロー配管を通ったのちにストレーナブロー配管合流配管を介して放水路へ排出されて、運転中の熱交換器からの系統水が待機中の熱交換器へと直列に通過する、補機冷却海水設備が開示されている。
【特許文献１】特開平５−３４１０９０号公報
【発明の開示】
【発明が解決しようとする課題】
【０００８】
しかしながら、上述した軸冷水冷却システムでは、海水に混入した貝殻など（以下、「ゴミ」と称する。）をトスフィルタ１２３で取り除くようにしているが、トスフィルタ１２３でゴミを完全に取り除くことができないため、トスフィルタ１２３を通過したゴミが、海水と一緒に軸冷水冷却器１１０内に流入し、入口水室１１１と複数の第１の冷却管１１４1との接続部を塞いだり、中間水室１１３の底面に堆積したり、中間水室１１３と複数の第２の冷却管１１４2との接続部を塞いだり、出口水室１１２の底面に堆積したりする。その結果、海水の流れがゴミによって妨げられて軸冷水冷却器１１０の冷却効率が低下し軸受冷却水の温度上昇をもたらすことから、軸冷水冷却器１１０を定期的に開放して清掃を行っているが、軸冷水冷却器１１０の開放・清掃には出力抑制が必要であるために発電支障が生じるという問題があった。
【０００９】
本発明の目的は、軸冷水冷却器を開放しなくても清掃が行える軸冷水冷却システムを提供することにある。
【課題を解決するための手段】
【００１０】
本発明の軸冷水冷却システムは、一方の端部に設けられた入口水室（１１）および出口水室（１２）と他方の端部に設けられた中間水室（１３）と該入口水室および該中間水室を連通する複数の第１の冷却管（１４1）と該出口水室および該中間水室を連通する複数の第２の冷却管（１４2）とを備える軸冷水冷却器（１０）を用いて軸受冷却水を海水で冷却する軸冷水冷却システムであって、軸冷水海水逆洗弁（２１）が取り付けられた、かつ、該軸冷水海水逆洗弁を開くことにより前記出口水室の底面から該出口水室内に海水を流入するための海水逆洗管（４１）と、軸冷水冷却器出口水室エアー弁（３１）および軸冷水冷却器中間水室エアー弁（３２）が取り付けられた、かつ、該軸冷水冷却器出口水室エアー弁を開くことにより前記出口水室の底面から該出口水室内に空気を送入するとともに該軸冷水冷却器中間水室エアー弁を開くことにより前記中間水室の底面から該中間水室内に空気を送入するための空気送入管（４２）とを具備することを特徴とする。
ここで、前記海水逆洗管が、前記入口水室に海水を流入するための海水流入管（１７１）と前記出口水室から海水を流出するための海水流出管（１７２）との間に配設されていてもよい。
前記中間水室を洗浄するときには、前記海水流出管に取り付けられた軸冷水海水出口弁（１３２）を閉止し、前記軸冷水冷却器中間水室エアー弁を開き、該中間水室の底面に接続された中間水室ブロー管（１７６）に取り付けられた軸冷水冷却器中間水室ブロー弁（１５２）を開いて、海水が前記入口水室、前記複数の第１の冷却管および該中間水室を経て該中間水室ブロー管に流れる水路が形成され、その後に前記出口水室を洗浄するときには、前記軸冷水冷却器中間水室エアー弁および前記軸冷水冷却器中間水室ブロー弁を閉止したのち、前記軸冷水冷却器出口水室エアー弁を開き、該出口水室の底面に接続された出口水室ブロー管（１７５）に取り付けられた軸冷水冷却器出口水室ブロー弁（１５１）を開いて、海水が前記入口水室、前記複数の第１の冷却管、前記中間水室、前記複数の第２の冷却管および該出口水室を経て該出口水室ブロー管に流れる水路が形成され、その後に前記出口水室、前記複数の第２の冷却管および前記中間水室の洗浄をするときには、前記軸冷水冷却器出口水室エアー弁および前記軸冷水冷却器出口水室ブロー弁を閉止したのち、前記海水流入管に取り付けられた軸冷水海水入口弁（１３１）を閉止し、前記軸冷水海水逆洗弁および前記軸冷水冷却器中間水室ブロー弁を開いて、海水が前記海水逆洗管、前記海水流出管、該出口水室、該複数の第２の冷却管および該中間水室を経て前記中間水室ブロー管に流れる水路が形成され、その後に前記出口水室、前記複数の第２の冷却管、前記中間水室、前記複数の第１の冷却管および前記入口水室を洗浄するときには、前記軸冷水冷却器中間水室ブロー弁を閉止したのち、該入口水室の上面に接続された空気排出管（１７７）に取り付けられた軸冷水冷却器入口水室空気抜弁（１６１）を開いて、海水が前記海水逆洗管、前記海水流出管、該出口水室、該複数の第２の冷却管、該中間水室、該複数の第１の冷却管および該入口水室を経て該空気排出管に流れる水路が形成されてもよい。
前記軸冷水海水逆洗弁、前記軸冷水冷却器出口水室エアー弁、前記軸冷水冷却器中間水室エアー弁、前記軸冷水海水入口弁、前記軸冷水海水出口弁、前記軸冷水冷却器出口水室ブロー弁、前記軸冷水冷却器中間水室ブロー弁および前記軸冷水冷却器入口水室空気抜弁の開閉制御を行うための弁制御装置（５０）をさらに具備してもよい。
【発明の効果】
【００１１】
本発明の軸冷水冷却システムは、以下に示す効果を奏する。
（１）軸冷水冷却器出口水室エアー弁を開くことにより軸冷水冷却器の出口水室の底面から出口水室内に空気を送入するとともに軸冷水冷却器中間水室エアー弁を開くことにより軸冷水冷却器の中間水室の底面から中間水室内に空気を送入するための空気送入管を具備するため、出口水室および中間水室の底面に堆積したゴミを空気圧で吹き上げるとともに水流攪拌したのちに海水と一緒に出口水室および中間水室から流し出すことができ、また、軸冷水海水逆洗弁を開くことにより軸冷水冷却器の出口水室の底面から出口水室内に海水を流入するための海水逆洗管を具備するため、入口水室と複数の第１の冷却管との接続部および出口水室と複数の第２の冷却管との接続部を塞いでいるゴミを押し出したのちに海水と一緒に入口水室から流し出すことができるので、軸冷水冷却器を開放しなくても清掃をすることができる。
（２）軸冷水冷却器を開放しなくても清掃を行えるので、出力抑制が必要なくなり発電支障の発生を防止することができる。
【発明を実施するための最良の形態】
【００１２】
上記の目的を、軸冷水海水逆洗弁が取り付けられたかつ軸冷水海水逆洗弁を開くことにより軸冷水冷却器の入口水室の底面から入口水室に海水を流入するための海水逆洗管と、軸冷水冷却器出口水室エアー弁および軸冷水冷却器中間水室エアー弁が取り付けられたかつ軸冷水冷却器出口水室エアー弁を開くことにより軸冷水冷却器の出口水室の底面から出口水室内に空気を送入するとともに軸冷水冷却器中間水室エアー弁を開くことにより軸冷水冷却器の中間水室の底面から中間水室内に空気を送入するための空気送入管とを設けることにより実現した。
【実施例１】
【００１３】
以下、本発明の軸冷水冷却システムの実施例について図面を参照して説明する。
本発明の一実施例による軸冷水冷却システムは、図１に示すように、海水流入管１７１と海水流出管１７２との間に配設された海水逆洗管４１と、火力発電所内の空気ライン（不図示）と軸冷水冷却器１０の出口水室１２の底面および中間水室１３の底面との間に配設された空気送入管４２とを具備する点で、図８に示した従来の軸冷水冷却システムと異なる。
【００１４】
ここで、水逆洗管４１には、軸冷水海水逆洗弁２１が取り付けられており、軸冷水海水逆洗弁２１を開くことにより軸冷水冷却管１０の出口水室１２の底面から出口水室１２内に海水が流入される。また、空気送入管４２には、軸冷水冷却器出口水室エアー弁３１および軸冷水冷却器中間水室エアー弁３２が取り付けられており、軸冷水冷却器出口水室エアー弁３１を開くことにより軸冷水冷却管１０の出口水室１２の底面から出口水室１２内に空気が送入され、軸冷水冷却器中間水室エアー弁３２を開くことにより軸冷水冷却管１０の中間水室１３の底面から中間水室１３内に空気が送入される。
【００１５】
次に、軸冷水冷却器１０を清掃する手順について、図２に示すフローチャートを参照して説明する。
【００１６】
まず、第１の工程である中間水室洗浄工程について、図３も参照して説明する。
図３に黒塗りで示すように軸冷水海水出口弁１３２を閉止して軸冷水冷却器１０内を海水が流れないようにしたのち、同図に白抜きで示すように軸冷水冷却器中間水室エアー弁３２を開いて空気を０．６４〜０．６８Ｍｐａの圧力で軸冷水冷却器１０の中間水室１３内に２分間だけ送入する（実線の太矢印）。これにより、中間水室１３の底面に堆積したゴミを空気圧で吹き上げるとともに水流攪拌する。
その後、同図に白抜きで示すように軸冷水冷却器中間水室ブロー弁１５２を開いて海水が軸冷水冷却器１０の入口水室１１、複数の第１の冷却管１４1および中間水室１３を経て中間水室ブロー管１７６に流れる水路を形成することにより（実線の矢印参照）、水流攪拌されたゴミを海水と一緒に中間水室１３から５分間だけ流し出す（以上、ステップＳ１１）。
【００１７】
このようにして中間水室１３の洗浄が終了すると、軸冷水冷却器中間水室エアー弁３２および軸冷水冷却器中間水室ブロー弁１５２を閉止する（ステップＳ１２）。
【００１８】
次に、第２の工程である出口水室洗浄工程について、図４も参照して説明する。
図４に白抜きで示すように軸冷水冷却器出口水室エアー弁３１を開いて空気を０．６４〜０．６８Ｍｐａの圧力で軸冷水冷却器１０の出口水室１２内に２分間だけ送入する（実線の太矢印）。これにより、出口水室１２の底面に堆積したゴミを空気圧で吹き上げるとともに水流攪拌する。
その後、同図に白抜きで示すように軸冷水冷却器出口水室ブロー弁１５１を開いて海水が軸冷水冷却器１０の入口水室１１、複数の第１の冷却管１４1、中間水室１３、複数の第２の冷却管１４2および出口水室１２を経て出口水室ブロー管１７５に流れる水路を形成することにより（実線の矢印参照）、水流攪拌されたゴミを海水と一緒に出口水室１２から５分間だけ流し出す（以上、ステップＳ１３）。
【００１９】
このようにして出口水室１２の洗浄が終了すると、軸冷水冷却器出口水室エアー弁３１および軸冷水冷却器出口水室ブロー弁１５１を閉止する（ステップＳ１４）。
【００２０】
次に、第３の工程である出口水室・中間水室逆洗工程について、図５も参照して説明する。
図５に黒塗りで示すように軸冷水海水入口弁１３１を閉止して海水が軸冷水冷却器１０の入口水室１１内に流入しないようにしたのち、同図に白抜きで示すように軸冷水海水逆洗弁２１および軸冷水冷却器中間水室ブロー弁１５２を開いて海水がトスフィルタ１２３から海水逆洗管４１、海水流出管１７２、軸冷水冷却器１０の出口水室１２、複数の第２の冷却管１４2および中間水室１３を経て中間水室ブロー管１７６に流れる水路（すなわち、海水が軸冷水冷却器１０内を出口水室１２から中間水室１３に逆流する水路）を形成することにより（実線の矢印参照）、中間水室１３と複数の第２の冷却管１４2との接続部を塞いでいるゴミを海水で中間水室１３内に押し出して、押し出したゴミを海水と一緒に中間水室１３から３分間だけ流し出す（ステップＳ１５）。このとき、出口水室１２内に残っているゴミや複数の第２の冷却管１４2内のゴミも海水と一緒に流し出される。
【００２１】
このようにして出口水室１２、複数の第２の冷却管１４2および中間水室１３の洗浄が終了すると、軸冷水冷却器中間水室ブロー弁１５２を閉止する（ステップＳ１６）。
【００２２】
次に、第４の工程である出口水室・入口水室逆洗工程について、図６も参照して説明する。
図６に白抜きで示すように軸冷水冷却器入口水室空気抜弁１６１を開いてトスフィルタ１２３から海水逆洗管４１、海水流出管１７２、軸冷水冷却器１０の出口水室１２、複数の第２の冷却管１４2、中間水室１３、複数の第１の冷却管１４1および入口水室１１を経て空気排出管１７７に流れる水路（すなわち、海水が軸冷水冷却器１０内を出口水室１２から入口水室１１に逆流する水路）を形成することにより（実線の矢印参照）、入口水室１１と複数の第１の冷却管１４1との接続部を塞いでいるゴミを押し出して、押し出したゴミを海水と一緒に入口水室１１から３分間だけ流し出す（以上、ステップＳ１７）。このとき、出口水室１２、複数の第２の冷却管１４2および中間水室１３内に残っているゴミや複数の第１の冷却管１４1内および入口水室１１内のゴミも海水と一緒に流し出される。
【００２３】
このようにして出口水室１２、複数の第２の冷却管１４2、中間水室１３、複数の第１の冷却管１４1および入口水室１１の洗浄が終了すると、軸冷水海水逆洗弁２１および軸冷水冷却器入口水室空気抜弁１６１を閉止したのち、軸冷水海水入口弁１３１および軸冷水海水出口弁１３２を開いて、通常系統に戻す（ステップＳ１８）。
【００２４】
これにより、本実施例による軸冷水冷却システムでは、軸冷水冷却器１０を開放することなく清掃することができる。
【００２５】
なお、以上説明した中間水室洗浄工程、出口水室洗浄工程、出口水室・中間水室逆洗工程および出口水室・入口水室逆洗工程を自動的に行うには、図７に示すように軸冷水海水逆洗弁２１、軸冷水冷却器出口水室エアー弁３１、軸冷水冷却器中間水室エアー弁３２、軸冷水海水入口弁１３１、軸冷水海水出口弁１３２、軸冷水入口弁１４１、軸冷水出口弁１４２、軸冷水冷却器出口水室ブロー弁１５１、軸冷水冷却器中間水室ブロー弁１５２、軸冷水冷却器入口水室空気抜弁１６１および軸冷水冷却器中間水室空気抜弁１６２の開閉制御を図２に示したフローチャートに従って実行する弁制御装置５０を軸冷水冷却システムに備えるようにすればよい。
【００２６】
また、中間水室洗浄工程および出口水室洗浄工程は１回だけしか行わなかったが、中間水室１３の底面および出口水室１２の底面に堆積したゴミをより完全に除去するために中間水室洗浄工程および出口水室洗浄工程を２回以上繰り返すようにしてもよい。
【００２７】
さらに、海水逆洗管４１を海水流入管１７１と海水流出管１７２との間に配設したが、海水逆洗管４１を海水流入管１７１と軸冷水冷却器１０の出口水室１２の底面との間に配設してもよい。
【図面の簡単な説明】
【００２８】
【図１】本発明の一実施例による軸冷水冷却システムの構成を示す図である。
【図２】図１に示した軸冷水冷却器１０を清掃する手順を説明するためのフローチャートである。
【図３】図１に示した軸冷水冷却器１０の中間水室１３を洗浄する中間水室洗浄工程について説明するための図である。
【図４】図１に示した軸冷水冷却器１０の出口水室１２を洗浄する出口水室洗浄工程について説明するための図である。
【図５】図１に示した軸冷水冷却器１０の出口水室１２から中間水室１３までを洗浄する出口水室・中間水室逆洗工程について説明するための図である。
【図６】図１に示した軸冷水冷却器１０の出口水室１２から中間水室１３を経て入口水室１１までを洗浄する出口水室・入口水室逆洗工程について説明するための図である。
【図７】図２に示した軸冷水冷却器１０を清掃する手順を自動的に行うための弁制御装置５０について説明するための図である。
【図８】従来の海水系統の軸冷水冷却システムの構成を示す図である。
【符号の説明】
【００２９】
１０，１１０  軸冷水冷却器
１１，１１１  入口水室
１２，１１２  出口水室
１３，１１３  中間水室
１４1，１４2，１１４1，１４１2  第１および第２の冷却管
２１  軸冷水海水逆洗弁
３１  軸冷水冷却器出口水室エアー弁
３２  軸冷水冷却器中間水室エアー弁
４１  海水逆洗管
４２  空気送入管
５０  弁制御装置
１２１  循環水ポンプ
１２２  海水ブースターポンプ
１２３  トスフィルタ
１３１  軸冷水海水入口弁
１３２  軸冷水海水出口弁
１４１  軸冷水入口弁
１４２  軸冷水出口弁
１５１  軸冷水冷却器出口水室ブロー弁
１５２  軸冷水冷却器中間水室ブロー弁
１６１  軸冷水冷却器入口水室空気抜弁
１６２  軸冷水冷却器中間水室空気抜弁
１７１  海水流入管
１７２  海水流出管
１７３  軸受冷却水流入管
１７４  軸受冷却水流出管
１７５  出口水室ブロー管
１７６  中間水室ブロー管
１７７  空気排出管
Ｓ１１〜Ｓ１８  ステップ
【図１】
2009293843.tif 000003
【図２】
2009293843.tif 000004
【図３】
2009293843.tif 000005
【図４】
2009293843.tif 000006
【図５】
2009293843.tif 000007
【図６】
2009293843.tif 000008
【図７】
2009293843.tif 000009
【図８】
2009293843.tif 000010